(57)【特許請求の範囲】
【請求項１】
少なくとも１つの透明な壁を保持する複数のスペーサ（３）を保持しているフレーム（２）を備えており、前記透明な壁（４）が、前記フレーム（２）と一緒に、前記スペーサと吸収体とゲッターポンプとを収容する閉じたチャンバを画定している、ゲッターポンプ（１５）を備えた真空ソーラーパネル（１）であって、
前記ゲッターポンプ（１５）が外皮を備えており、該外皮が、１つ以上の非蒸発型ゲッター（ＮＥＧ）要素を含んでいるとともに、太陽光を効果的に吸収して気体の拡散に必要な温度に達するように選択的に黒色化された外面（１６）を有していることを特徴とする、前記真空ソーラーパネル。
【請求項２】
前記外皮が、箱状の形状を有しており、箱状の外皮の内部空間を箱状の外皮の外部に触れた状態に保つための少なくとも１つの貫通穴（１８）を有していることを特徴とする、請求項１に記載の真空ソーラーパネル。
【請求項３】
前記外皮が、ソーラーパネルから熱的に独立していることを特徴とする、請求項１または２に記載の真空ソーラーパネル。
【請求項４】
前記外皮に、吸収体あるいはソーラーパネルのフレームまたはスペーサへの熱絶縁性の接続要素（２０）が設けられていることを特徴とする、請求項３に記載の真空ソーラーパネル。
【請求項５】
前記熱絶縁性の接続要素が、ばねを備えていることを特徴とする、請求項１から４のいずれか一項に記載の真空ソーラーパネル。
【請求項６】
前記吸収体が、１つ以上の吸収パネルと、吸収パネルへと接続された１つ以上の冷却パイプ（１１）とを備えており、吸収パネルが、前記外皮が挿入される切り欠きを画定していることを特徴とする、請求項１から５のいずれか一項に記載の真空ソーラーパネル。
【請求項７】
前記外皮が、吸収体に熱的に接触していることを特徴とする、請求項１から６のいずれか一項に記載の真空ソーラーパネル。
【請求項８】
前記吸収体（８）の吸収プレート（１０）が、ＮＥＧ要素を収容する前記外皮の少なくとも１つの壁（２５）を画定しており、前記外皮の反対側の壁（２６）が、吸収パネルへと接続されたプレートによって画定されていることを特徴とする、請求項１から７のいずれか一項に記載の真空ソーラーパネル。
【請求項９】
冷却パイプ内の冷却流体の循環を間欠的に停止させるように構成された制御システムをさらに備えることを特徴とする、請求項１から８のいずれか一項に記載の真空ソーラーパネル。
【発明の詳細な説明】
【技術分野】
【０００１】
本発明は、ゲッターポンプを有する真空ソーラーパネルに関し、特に、本発明によれば、ゲッターポンプが非蒸発型ゲッター（ＮＥＧ）ポンプである。
【背景技術】
【０００２】
当該技術分野において知られているとおり、ＮＥＧポンプが、密封された真空装置の内部の真空を保つために、幅広く使用されている。
【０００３】
ＮＥＧポンプにおいては、気体の分子がゲッター材料の表面に吸着され、結果としてＮＥＧが飽和する。
【０００４】
吸着した気体による飽和を防止し、したがってポンプ効果（すなわち、気体分子を吸着する能力）の喪失を防止するために、吸着した気体分子について、ゲッターポンプの表面からゲッターポンプの体積への拡散を助けるために、ＮＥＧを加熱しなければならない。
【０００５】
加熱を、例えば電気加熱によって連続的または間欠的に加えることができる。
【発明の概要】
【発明が解決しようとする課題】
【０００６】
そのような電気ヒータは、真空の電気貫通接続を必要とし、そのような真空の電気貫通接続が、装置のコストを増加させ、装置の信頼性を低下させる。
【０００７】
したがって、本発明の技術的目標は、ＮＥＧポンプを備える真空ソーラーパネルであって、知られている技術の前記問題点を取り除く真空ソーラーパネルを提供することにある。
【０００８】
この技術的目標の範囲において、本発明の目的は、知られている技術のソーラーパネルと比べて安価なソーラーパネルを提供することにある。
【０００９】
本発明の別の目的は、きわめて信頼できるソーラーパネルを提供することにある。
【課題を解決するための手段】
【００１０】
本発明によれば、技術的目標が、これらの目的およびさらなる目的とともに、添付の特許請求の範囲に記載のＮＥＧポンプを備える真空ソーラーパネルを提供することによって達成される。
【００１１】
有利には、ソーラーパネルの場合において、太陽熱を自由に利用することができ、非蒸発型ゲッターポンプが、太陽光を効果的に吸収して、気体の拡散に必要な温度に達するように、選択的に黒色化された壁によって囲まれた空間に収容される。この温度は、種々のＮＥＧポンプおよび動作圧力に応じてさまざまであるが、いずれの場合も約１８０℃以上でなければならない。
【００１２】
本発明のさらなる特徴および利点が、あくまでも本発明を限定するものではない例として添付の図面に示される本発明によるゲッターポンプを備える真空ソーラーパネルの好ましい実施形態（ただし、この実施形態に限られるわけではない）の説明から、さらに明らかになる。
【図面の簡単な説明】
【００１３】
【図１】本発明によるゲッターポンプを有しているソーラーパネルの一部分の概略図である。
【図２】本発明によるソーラーパネルのゲッターポンプの斜視図である。
【図３】本発明によるゲッターポンプを備えるソーラーパネルの別の実施形態を示している。
【図４】本発明のゲッターポンプを有するソーラーパネルを概略的に示している。
【発明を実施するための形態】
【００１４】
図面を参照すると、全体が参照符号１によって指し示された真空ソーラーパネルが示されている。
【００１５】
ソーラーパネル１は、上側の透明なガラス壁４と金属または板ガラスで製作される下側の後壁２ａとを保持する複数のスペーサ３をおおむね保持しているフレーム２を備えている。
【００１６】
フレーム２が、透明な壁４および後壁２ａと一緒に、スペーサ３および吸収体８を収容する閉じたチャンバ６を画定している。
【００１７】
当該技術分野において知られているとおり、吸収体８は、１つ以上の吸収パネル１０と、吸収パネル１０へと接続された１つ以上の冷却パイプ１１とを備えている。
【００１８】
チャンバ６は、ＮＥＧポンプ１５も収容している。ＮＥＧポンプ１５は、有利には、選択的に黒色化された外面１６を有しており、１つ以上の非蒸発型のゲッター要素を内部に含んでいる外皮を備えている。
【００１９】
外皮は、箱状の形状を有しており、好ましくは、箱状の外皮の内部空間を箱状の外皮の外部に（すなわち、チャンバ６に）触れた状態に保つための１つの貫通穴１８を有している。
【００２０】
別の開口の構成も、考えることが可能である。
【００２１】
第１の実施形態においては、外皮が、ソーラーパネルから熱的に独立している（図１）。
【００２２】
この点に関し、外皮に、吸収体（すなわち、吸収パネル１０）あるいはソーラーパネル１のフレーム２またはスペーサ３への熱絶縁性の接続要素２０が備えられている。
【００２３】
すなわち、非蒸発型のゲッターポンプは、たとえどんなパネル動作温度が選択されても、良好な絶縁状態において１８０℃を十分に超えるよう、高温（吸収体）または低温（パネルのフレームまたはスペーサ）であり得る固定点への熱伝導を最小限にするために、ばねによって吊られている。
【００２４】
これらの熱絶縁性の接続要素２０は、金属ばねまたはワイヤを備えている。
【００２５】
特に、吸収パネル１０は、外皮が挿入される切り欠き（ｃａｖｉｔｙ）２２を画定している。
【００２６】
第２の実施形態においては、外皮が、吸収体に熱的に接触している（図３）。
【００２７】
この点に関し、前記吸収体８の吸収プレート１０が、ＮＥＧ要素を収容する外皮の少なくとも１つの壁２５を画定しており、この外皮の反対側の壁２６が、吸収パネルへと機械的に接続または溶接されたプレートによって画定されている。
【００２８】
この構成を、動作中の吸収体の温度が１８０℃を超える場合に有利に使用することができるが、より低い動作温度においても、（ゲッターポンプの再生のために）吸収体の温度をより高い値へと高めるべく冷却流体の循環が間欠的に停止される限りにおいて、採用することが可能である。この動作モードは、既存のパネルを別の用途に適合させなければならない場合に、きわめて有用であることが明らかになる。
【００２９】
この点に関し、本発明のソーラーパネルは、冷却パイプの冷却流体の循環を間欠的に停止させるように構成された制御システムを備える。
【００３０】
有利には、非蒸発型ゲッターの吸着速度および気体吸着量の両方が、入射ソーラーパワーの増加に一致して増加する。
【００３１】
上述の実施形態において、反射ミラーと組み合わせて好ましく使用される場合には、２つの透明な壁、すなわち透明な壁４および後壁２ａが備えられる。
【００３２】
（そのような反射ミラーを持たずに使用される）別の実施形態においては、透明な後壁２ａを金属製の壁によって置き換えてもよい。
【００３３】
この方法で考え出されたゲッターポンプを備えるソーラーパネルは、いずれも本発明の考え方の範囲に包含される多数の変更および変形を受け入れる余地を有する。さらには、すべての詳細は、技術的に均等な構成要素によって置き換えが可能である。
【００３４】
実際に、使用される材料および寸法を、要件および技術水準に従って思いのままに選択することが可能である。
【図１】
0005400144.tif 000002
【図２】
0005400144.tif 000003
【図３】
0005400144.tif 000004
【図４】
0005400144.tif 000005